【手続補正書】
【提出日】平成24年6月8日(2012.6.8)
【手続補正１】
【補正対象書類名】明細書
【補正対象項目名】０１３３
【補正方法】変更
【補正の内容】
【０１３３】
結果は、過酸化水素をヒドロゲルの中に組み込むとペルオキシド濃度が１．０ｇ／Ｌ以下に減少しなかったが、対照についてはそれが起きたことを示す。結果は、また、Ｇｌｕｃｏｐｏｎ ４２５Ｎが高濃縮クリーニング剤２の過酸化水素を４８時間内に不活性化しなかったことも示す。
本出願では、以下の態様が提供される。
１．  クリーニング溶液の作製方法であって、活性クリーニング成分及び水不溶性ポリマーと極性溶媒の均質な混合物を含む、ヒドロゲル高濃縮クリーニング剤の塊を準備することと、前記ヒドロゲル高濃縮クリーニング剤を前記ヒドロゲル高濃縮クリーニング剤の塊の少なくとも１０倍の量の水と組み合わせて、クリーニング溶液を形成することと、を含む、方法。
２．  前記活性クリーニング成分が界面活性剤、酸、塩基、酵素及びこれらの混合物からなる群から選択される、態様１に記載の方法。
３．  前記不溶性ポリマーを前記クリーニング溶液から分離することを更に含む、態様１に記載の方法。
４．  前記ヒドロゲル高濃縮クリーニング剤及び水が容器中で組み合わされ、前記容器が前記不溶性ポリマーを前記クリーニング溶液から分離するための手段を含む、態様３に記載の方法。
５．  前記容器が水分配システムに付属する重力供給型容器である、態様４に記載の方法。
６．  前記ヒドロゲル高濃縮クリーニング剤が水透過性及び水不溶性の囲い内に収容され、前記囲いが前記水と組み合わされている、態様３に記載の方法。
７．  前記囲いが不織布材料を含む、態様６に記載の方法。
８．  前記囲いが再充填可能なカートリッジを含む、態様６に記載の方法。
９．  前記クリーニング溶液が１５分未満ですぐに使える濃度に達する、態様１〜８のいずれか一項に記載の方法。
１０．  前記クリーニング溶液が１分未満ですぐに使える濃度に達する、態様１〜９のいずれか一項に記載の方法。
１１．  前記水不溶性ポリマーがフリーラジカル重合されたポリマーである、態様１〜１０のいずれか一項に記載の方法。
１２．  前記水不溶性ポリマーが放射線硬化されたポリマーである、態様１１に記載の方法。
１３．  前記放射線硬化されたポリマーが光開始剤を更に含む、態様１２に記載の方法。
１４．  前記水不溶性ポリマーがポリ（アルキレンオキシド）単位を含む、態様１〜１３のいずれか一項に記載の方法。
１５．  前記水不溶性ポリマーが架橋ポリ（アルキレン）オキシド（メタ）アクリレート単位を含む、態様１４に記載の方法。
１６．  前記ヒドロゲル高濃縮クリーニング剤が複数のばらばらな自由流動性の小片として準備される、態様１〜１５のいずれか一項に記載の方法。
１７．  前記ばらばらな小片がビーズ、繊維、又は粒子である、態様１６に記載の方法。
１８．  前記ヒドロゲル高濃縮クリーニング剤が一体型の塊として提供される、態様１〜１５に記載の方法。
１９．  前記ヒドロゲル高濃縮クリーニング剤の塊が、第１の活性クリーニング成分を含む第１のヒドロゲル高濃縮クリーニング剤の塊と、第１のヒドロゲル高濃縮クリーニング剤の塊と異なる活性クリーニング成分を含む第２のヒドロゲル高濃縮クリーニング剤の塊と、を含む、態様１〜１８のいずれか一項に記載の方法。
２０．  前記ヒドロゲル高濃縮クリーニング剤が前記クリーニング溶液から分離され、水と再び組み合わされて、第２のクリーニング溶液を形成する、態様１〜１９のいずれか一項に記載の方法。
２１．  前記水が前記高濃縮クリーニング剤と静的に組み合わされる、態様１〜２０のいずれか一項に記載の方法。
２２．  前記水が前記高濃縮剤と動的に組み合わされる、態様１〜２１のいずれか一項に記載の方法。
２３．  前記ヒドロゲル高濃縮クリーニング剤が前記ヒドロゲル高濃縮クリーニング剤の塊の５０〜５００倍の範囲の量の水と組み合わされる、態様１〜２２のいずれか一項に記載の方法。
２４．  前記ヒドロゲル高濃縮クリーニング剤が約２５重量％〜７０重量％の前記水不溶性ポリマー及び１５重量％〜７５重量％の前記極性溶媒を含む、態様１〜２３のいずれか一項に記載の方法。
２５．  前記ヒドロゲル高濃縮クリーニング剤が少なくとも５重量％の界面活性剤を含む、態様１〜２４のいずれか一項に記載の方法。
２６．  前記界面活性剤と組み合わせた前記極性溶媒が３０ｍＮ／ｍ以下の表面エネルギーを有する、態様２５に記載の方法。
２７．  前記ヒドロゲル高濃縮クリーニング剤が抗菌剤、芳香剤、又はこれらの組み合わせを更に含む、態様１〜２６のいずれか一項に記載の方法。
２８．  水透過性囲いに含有されるヒドロゲル高濃縮クリーニング剤の塊を含み、前記ヒドロゲル高濃縮クリーニング剤が、活性クリーニング成分及び、水不溶性ポリマーと少なくとも１種の極性溶媒との均質な混合物を含む、ヒドロゲル高濃縮クリーニング剤のパッケージ。
２９．  前記活性クリーニング成分が界面活性剤、酸、塩基、酵素及びこれらの混合物からなる群から選択される、態様２８に記載のパッケージ。
３０．  前記囲いが水不溶性である、態様２８に記載のパッケージ。
３１．  前記ヒドロゲル高濃縮クリーニング剤の塊が前記囲い内で自由流動性である、態様２８に記載のパッケージ。
３２．  前記ヒドロゲル高濃縮クリーニング剤の塊が複数のばらばらな小片として準備される、態様２８〜３１のいずれか一項に記載のパッケージ。
３３．  前記ばらばらな小片がビーズ、繊維、又は粒子である、態様３２に記載のパッケージ。
３４．  前記ヒドロゲル高濃縮クリーニング剤の塊が一体型の塊として準備される、態様２８〜３１のいずれか一項に記載のパッケージ。
３５．  前記塊が予め測定したものである、態様２８〜３４のいずれか一項に記載のパッケージ。
３６．  前記水透過性囲いが不織布材料を含む、態様２８〜３５のいずれか一項に記載のパッケージ。
３７．  前記ヒドロゲル高濃縮クリーニング剤の塊が第１の活性クリーニング成分を含む第１のヒドロゲル高濃縮クリーニング剤の塊と、前記第１の高濃縮クリーニング剤の塊と異なる活性クリーニング成分を含む第２のヒドロゲル高濃縮クリーニング剤の塊と、を含む、態様２８〜３６のいずれか一項に記載のパッケージ。
３８．  前記ヒドロゲル高濃縮クリーニング剤、囲い、又はこれらの組み合わせが発泡剤を更に含む、態様２８〜３７のいずれか一項に記載のパッケージ。
３９．  ヒドロゲルビーズの作製方法であって、前駆体組成物を準備することであって、ａ）前記前駆体組成物の全重量基準で１０重量パーセント超の極性溶媒と、ｂ）フリーラジカル重合能があり、モノマー１分子当り少なくとも１．２個に等しいエチレン性不飽和基の平均数を有し、前記極性溶媒と混和性である重合性材料と、ｃ）活性クリーニング成分と、を含み、ａ）及びｃ）の組み合わせが３０ｍＮ／ｍ以下の表面エネルギーを有する、前記前駆体組成物を準備することと、全体的に気相によって囲まれている、前記前駆体組成物の液滴を形成することと、前記重合性材料を少なくとも部分的に重合させ、第１の膨潤したヒドロゲル高濃縮クリーニング剤ビーズを形成するのに十分な時間にわたって前記液滴を放射線に曝露することと、を含む、方法。
４０．  前記第１の膨潤したヒドロゲル高濃縮クリーニング剤ビーズを乾燥させて、極性溶媒の少なくとも一部を除去することと、前記乾燥させたヒドロゲルビーズを活性クリーニング成分と組み合わせて、前記第１の膨潤したヒドロゲル高濃縮クリーニング剤ビーズよりも高濃度の活性クリーニング成分を有する第２の膨潤したヒドロゲル高濃縮クリーニング剤ビーズを形成することと、を更に含む、態様３９に記載の方法。
４１．  前記活性クリーニング成分が界面活性剤、酸、塩基、酵素及びこれらの混合物からなる群から選択される、態様３９に記載の方法。
４２．  前記重合性材料がポリ（アルキレンオキシド）単位を含む、態様３９〜４１のいずれか一項に記載の方法。
４３．  前記ポリ（アルキレンオキシド）単位が少なくとも５個のアルキレンオキシドサブ単位を有する、態様４２に記載の方法。
【手続補正２】
【補正対象書類名】特許請求の範囲
【補正対象項目名】全文
【補正方法】変更
【補正の内容】
【特許請求の範囲】
【請求項１】
クリーニング溶液の作製方法であって、
活性クリーニング成分及び水不溶性ポリマーと極性溶媒の均質な混合物を含む、ヒドロゲル高濃縮クリーニング剤の塊を準備することと、
前記ヒドロゲル高濃縮クリーニング剤を前記ヒドロゲル高濃縮クリーニング剤の塊の少なくとも１０倍の量の水と組み合わせて、クリーニング溶液を形成することと、
を含む、方法。
【請求項２】
前記活性クリーニング成分が界面活性剤、酸、塩基、酵素及びこれらの混合物からなる群から選択される、請求項１に記載の方法。
【請求項３】
前記不溶性ポリマーを前記クリーニング溶液から分離することを更に含む、請求項１に記載の方法。
【請求項４】
水透過性囲いに含有されるヒドロゲル高濃縮クリーニング剤の塊を含み、前記ヒドロゲル高濃縮クリーニング剤が、活性クリーニング成分及び、水不溶性ポリマーと少なくとも１種の極性溶媒との均質な混合物を含む、ヒドロゲル高濃縮クリーニング剤のパッケージ。
【請求項５】
ヒドロゲルビーズの作製方法であって、
前駆体組成物を準備することであって、
ａ）前記前駆体組成物の全重量基準で１０重量パーセント超の極性溶媒と、
ｂ）フリーラジカル重合能があり、モノマー１分子当り少なくとも１．２個に等しいエチレン性不飽和基の平均数を有し、前記極性溶媒と混和性である重合性材料と、
ｃ）活性クリーニング成分と、を含み、
ａ）及びｃ）の組み合わせが３０ｍＮ／ｍ以下の表面エネルギーを有する、前記前駆体組成物を準備することと、
全体的に気相によって囲まれている、前記前駆体組成物の液滴を形成することと、
前記重合性材料を少なくとも部分的に重合させ、第１の膨潤したヒドロゲル高濃縮クリーニング剤ビーズを形成するのに十分な時間にわたって前記液滴を放射線に曝露することと、を含む、方法。